(57)【要約】      （修正有）【課題】トイレ室内からロックがかかるようにして、使用者が安心して用が足せるようにした、仮設トイレ及び仮設トイレにおけるロック手段を提供する。【解決手段】災害時、イベント時に用いられる仮設トイレ１において、トイレ室内空間を形成する囲い部２に出入口を覆う可動部５を設けて、この可動部５をトイレ室内空間を形成する囲い部２に、トイレ室内空間の内側からロックするロック手段７を設ける。ロック手段７は、囲い部２の出入口を覆う可動部５に取付けて、囲い部２を支持する支柱部に係止するフック手段９と、トイレ室内空間の内側から、フック手段９の係止状態を保持する回動部材１１とを具備する。【選択図】図１
0003134712.tif 000002
【実用新案登録請求の範囲】
【請求項１】
仮設トイレにおいて、
トイレ室内空間を形成する囲い部の出入口を覆う可動部を設けて、
この可動部を、前記トイレ室内空間を形成する囲い部に、前記トイレ室内空間の内側からロックするロック手段を設けたことを特徴とする仮設トイレ。
【請求項２】
仮設トイレにおけるトイレ室内空間を形成する囲い部の出入口を覆う可動部を、前記トイレ室内空間の内側からロックするようにした仮設トイレにおけるロック手段であって、
前記囲い部の出入口を覆う可動部に取付けて、前記囲い部を支持する組立支持部材に係止するフック手段と、
前記トイレ室内空間の内側から、前記フック手段の係止状態を保持する保持手段を具備することを特徴とする仮設トイレにおけるロック手段。
【請求項３】
前記保持手段は、前記可動部の可動縁部に固設した基部枠に回動可能に取着したハンドルと、このハンドルの操作によって前記フック手段の係止状態を維持する回動部材とを具備することを特徴とする請求項２に記載の仮設トイレにおけるロック手段。
【請求項４】
前記可動部の可動縁部に固設した基部枠に、前記回動部材を受ける受部を設けたことを特徴とする請求項３に記載の仮設トイレにおけるロック手段。
【請求項５】
前記フック手段を係止する前記組立支持部材側に、前記回動部材を受ける受部材を設けることを特徴とする請求項３に記載の仮設トイレにおけるロック手段。
【請求項６】
前記回動部材は、扇形回動坂であることを特徴とする請求項３ないし５に記載のうち、いずれか１記載の仮設トイレにおけるロック手段。
【請求項７】
仮設トイレにおけるトイレ室内空間を形成する囲い部の出入口を覆う可動部を、前記トイレ室内空間の内側からロックするようにした仮設トイレにおけるロック手段であって、
前記囲い部の出入口を覆う可動部に取付けて、前記囲い部を支持する組立支持部材に係止するクリップ機構で構成したことを特徴とする仮設トイレにおけるロック手段。
【請求項８】
前記トイレ室内空間の内側において、前記ハンドルに連動して、ロック状態にあることを視覚的に認識可能な表示手段を設けたことを特徴とする請求項３ないし５に記載のうち、いずれか１に記載の仮設トイレにおけるロック手段。
【請求項９】
前記表示手段は、前記回動部材に設けることを特徴とする請求項８に記載の仮設トイレにおけるロック手段。
【考案の詳細な説明】
【技術分野】
【０００１】
本考案は、災害時やイベント時に用いられる仮設トイレにおいて、トイレ室内空間内側から出入口をロックできるようにした、仮設トイレおよび仮設トイレにおけるロック手段に関するものである。
【背景技術】
【０００２】
近年、大きな災害が国の内外で頻繁に発生しているが、災害時の飲用水や食料の確保と同時に、トイレの確保は切実な問題の中の一つであることは論を待たない。
特に、災害多発地帯であるわが国では、普段から災害に備えて、非常用のトイレ設備を準備しておくことが望ましい。
【０００３】
例えば、そのようなトイレ施設の一つとしては、特許文献１に示すようなものが開示されている。
この仮設トイレでは、マンホール口を利用して設置されるもので、様々なマンホール口に適合させるようにしたものである。
すなわち、この仮設トイレでは、図示は省略するが、マンホール口上に設置される囲い部を具備し、この囲い部は四つの側壁と、これら側壁の一つに取り付けられるドアと、側壁上に設置される屋根とを具備している。
【０００４】
【特許文献１】特開２００１−１３２０６７号公報
【考案の開示】
【考案が解決しようとする課題】
【０００５】
しかしながら、災害時に使用されるような仮設トイレは、使用者が囲い部内に入り、蛇腹状のドアを閉めてしまうと、ドア表面に使用中という表示が現れることから、例えトイレは使用中であることが一目瞭然ではあるとしても、ドアのロック手段がないと、中の使用者は、少なからず不安感を抱くこととなる。
本考案は、このような背景から提案されたものであって、トイレ室内からロックがかかるようにして、使用者が安心して用が足せるようにした、仮設トイレおよび仮設トイレにおけるロック手段を提供することを目的とする。
【課題を解決するための手段】
【０００６】
上記課題を解決するために、請求項１に記載の本考案は、仮設トイレにおいて、トイレ室内空間を形成する囲い部の出入口を覆う可動部を設けて、この可動部を、トイレ室内空間を形成する囲い部に、トイレ室内空間の内側からロックするロック手段を設けたことを特徴とする。
【０００７】
これにより、囲い部の出入口を覆う可動部を、トイレ室内空間の内側からロックすることができるので、使用者は安心して用が足せるようになる。
【０００８】
また請求項２に記載の本考案は、仮設トイレにおけるトイレ室内空間を形成する囲い部の出入口を覆う可動部を、トイレ室内空間の内側からロックするようにした仮設トイレにおけるロック手段であって、囲い部の出入口を覆う可動部に取付けて、囲い部を支持する組立支持部材に係止するフック手段と、トイレ室内空間の内側から、フック手段の係止状態を保持する保持手段を具備することを特徴とする。
【０００９】
これにより、使用者は、トイレ室内空間内に、囲い部の出入口を覆う可動部を開けて入ったら、可動部に取付けたフック手段を囲い部を支持する組立支持部材に係止して、可動部により出入口を閉止し、トイレ室内空間の内側から、保持手段によりフック手段の係止状態を保持することでロックすることができる。
【００１０】
また請求項３に記載の本考案は、保持手段は、可動部の可動縁部に固設した基部枠に回動可能に取着したハンドルと、このハンドルの操作によってフック手段の係止状態を維持する回動部材とを具備することを特徴とする。
【００１１】
これにより、使用者は、ハンドルを掴んで可動部を開閉操作することができ、回動部材を容易にロック位置にもたらすことができる。
【００１２】
また請求項４に記載の本考案は、可動部の可動縁部に固設した基部枠に、回動部材を受ける受部を設けたことを特徴とする。
【００１３】
これにより使用者は、回動部材を基部枠の受部にもたらすことで、回動部材を確実にロック位置で止めることができる。
【００１４】
また請求項５に記載の本考案は、フック手段を係止する組立支持部材側に、回動部材を受ける受部材を設けることを特徴とする。
【００１５】
これにより、使用者は、回動部材をロック位置で確実に止めることができる。
【００１６】
また請求項６に記載の本考案は、回動部材は、扇形回動坂であることを特徴とする。
【００１７】
これにより、より広範囲にフック手段をロック状態に維持することができる。
【００１８】
また請求項７に記載の本考案は、仮設トイレにおけるトイレ室内空間を形成する囲い部の出入口を覆う可動部を、トイレ室内空間の内側からロックするようにした仮設トイレにおけるロック手段であって、囲い部の出入口を覆う可動部に取付けて、囲い部を支持する組立支持部材に係止するクリップ機構で構成したことを特徴とする。
【００１９】
これにより、使用者は、クリップ機構を持って可動部を開閉操作することができ、組立支持部材にクリップ機構を係止して手を離せば、容易にロック状態とすることができる。
【００２０】
また請求項８に記載の本考案は、トイレ室内空間の内側において、ハンドルに連動して、ロック状態にあることを視覚的に認識可能な表示手段を設けたことを特徴とする。
【００２１】
これにより、トイレ使用者は、ロック手段が確実にロックしたことを認識することができる。
【００２２】
さらに請求項９に記載の本考案では、表示手段は、回動部材に設けることを特徴とする。
【００２３】
これにより、回動部材がロック位置にあることを表示手段によって、一層、明らかに認識することができる。
【考案を実施するための最良の形態】
【００２４】
図１に本考案にかかる仮設トイレ１を示す。
この仮設トイレ１はトイレ室内空間を形成するための囲い部２を有する。囲い部２は、例えば組立て折畳み可能に構成した骨組みである組立支持部材３に、適宜な防炎遮光性の素材を用いた外装材４を用いて三方および天井を覆い、一面に出入口を塞ぐ扉として、蛇腹状の可動部５で構成している。
【００２５】
組立支持部材３は、例えば４方に配置する支柱部３ｖと、梁部（図示省略）とを有している。
【００２６】
外装材４には、例えばターポリンシートを用いることができる。ターポリンシートは、ポリエステル織物を合成樹脂フィルム（例えば、ポリプロピレンやポリエチレンなどのオレフィン系と塩化ビニル系）で挟んだ複合シートで構成され、防炎性、遮光性に優れる素材である。
【００２７】
可動部５は、外装材４同様、ターポリンシートを用いて、常時、蛇腹状に折畳まれる（縮まる）状態に構成され、拡げた際に出入口を塞ぐ大きさを有している。この場合、可動部５は、囲い部２の一面を出入口として、塞ぐように配置されたもので、一端側を、出入口に対応する支柱部３ｖに取付ける一方、他端側を可動縁部として、可動パイプ６に取付けている（図２参照）。
【００２８】
そして、以上のような構成の仮設トイレ１には、蛇腹状に折畳まれる状態に構成された可動部５により、出入口とした囲い部２の一面を塞いだ状態で、囲い部２を支える支柱部３ｖに、囲い部２によって囲われるトイレ室内空間の内側からロックするロック手段７を設けている。
【００２９】
そこで、このロック手段７について説明する。
ロック手段７は、可動部５の可動縁部としての可動パイプ６に固設した基部枠８と、この基部枠８に固定して、可動部５の固定側である一端側を取り付けた支柱部３ｖと共に、出入口を構成する支柱部３ｖに係止するフック手段９と、トイレ室内空間の内側から、フック手段９の係止状態を保持する回動部材（後述）を操作するためのハンドル１０とを備えている。
【００３０】
フック手段９は、係止すべき支柱部３ｖの外形に対応する半円筒形状の枠部材からなる。
ハンドル１０は、基部枠８に、軸回りに回動可能に取着したもので、ハンドル１０には、支柱部３ｖにフック手段９を係止した際に、ハンドル１０を軸回りに回動操作することで、フック手段９を係止した支柱部３ｖの裏側にもたらして、この支柱部３ｖをフック手段９とで挟み込む、棒状の回動部材１１を突設している。
フック手段９を係止した支柱部３ｖの裏側に回動部材１１をもたらした際、基部枠８を受部として当たるようになっている。
これによって、支柱部３ｖからフック手段９が脱落しないように保持する構成である。
【００３１】
ハンドル１０は、基部枠８に対し、例えば、段付きボルト１２により、回動可能に軸止めする構成とすることができる（図３参照）。
なお、ハンドル１０を操作して、フック手段９を係止した支柱部３ｖの裏側に回動部材１１をもたらした際に、支柱部３ｖ側に、回動部材１１を受ける受部材１３を設けるようにしてもよい（図８参照）。
【００３２】
さらに、ハンドル１０を操作して、フック手段９を係止した支柱部３ｖの裏側に回動部材１１をもたらした際に、ロック状態にあることを明示するために、回動部材１１の位置を視覚的に認識しやすくするために、目立つ色（例えば赤）の表示盤１４を設けることができる。
【００３３】
本考案にかかる仮設トイレ１は、以上のように構成されるので、トイレを使用するにあたり、使用者は、その仮設トイレ１の出入口が開いていることを確認し、出入口から囲い部２により形成するトイレ室内空間に入り、可動部５によって出入口を閉めて、用を足すことができる。
【００３４】
その際、使用者は、非使用時、出入口を常時、開放状態にしている可動部５の可動縁部側に設けた、ロック手段７におけるハンドル１０を手に持って、蛇腹状に縮んだ可動部５を、拡げるように引っ張り、出入口を閉止するようにする（図１、図２、図４参照）。
この際、可動パイプ６における基部枠８に固定したフック手段９を、可動部５の固定側の支柱部３ｖと対向する支柱部３ｖに係止し、この状態で、トイレ室内空間の内側から、ハンドル１０を軸回りに回動操作することで、フック手段９を係止した支柱部３ｖの裏側に回動部材１１がもたらされ、これによって、回動部材１１は基部枠８に受部として当たり、支柱部３ｖからフック手段９が脱落しないように保持することができる（図５、図６、図７参照）。
【００３５】
なお、ハンドル１０を軸回りに回動操作して、フック手段９を係止した支柱部３ｖの裏側に回動部材１１をもたらした際に、支柱部３ｖ側に回動部材１１を受け止める受部材１３を設けた場合においても、ハンドル１０の操作量が略一定化し、確実なロック操作が可能となる（図８参照）。
【００３６】
以上のように、可動部５を、使用者自らがトイレ室内空間の内側からロックすることができるので、使用者は、不安感を覚えることなく、安心して用足しをすることができる。
なお、ハンドル１０を操作して、フック手段９を係止した支柱部３ｖの裏側に回動部材１１をもたらした際に、ロック状態にあることを明示するために、回動部材１１の位置を視覚的に明示できるように、回動部材１１自体に、赤などの目立つ色の表示盤１４を設けた場合にあっては、使用者は、一層、安心して用足しを行うことができる。
【００３７】
以上、本考案にかかる仮設トイレ１について、一実施例を挙げ、説明したが、本考案にかかる仮設トイレ１は、上述した実施例に限らず、例えばロック手段７は、使用者自らがトイレ室内空間の内側からロックすることができる構造であれば、その構成は、適宜である。
【００３８】
例えばロック手段７としては、回動部材１１は、棒状の部材に限られず、図９のように、扇形の回動板としてもよい。
これにより、フック手段９を係止した支柱部３ｖの裏側に回動部材１１をもたらした際に、フック手段９をより広範囲に、且つより確実にロック状態を確保することができる。
【００３９】
さらに本考案にかかる仮設トイレ１におけるロック手段７は、図１０に示すように構成することもできる。
すなわち、この場合の仮設トイレ１におけるロック手段７は、囲い部２の出入口を覆う可動部５に取付けて、囲い部２を支持する組立支持部材３に係止するクリップ機構１５で構成することができる。
クリップ機構１５は、組立支持部材３を取り囲むことができるように、一方が円弧状の係止部１５ａと、もう一方が直線状の当接部１５ｂとをばね部材（図示省略）のばね力によって、組立支持部材３を取り囲む状態で閉止する構成としている。
【００４０】
このような構成によれば、使用者は、クリップ機構１５を持って可動部５を開閉操作することができ、組立支持部材３に一方が円弧状の係止部１５ａと、もう一方の直線状の当接部１５ｂとにより、取り囲むように係止させて手を離せば、ばね力により、容易にロック状態とすることができる（図１１参照）。
【００４１】
なお、本発明のハンドル１０を操作して、フック手段９を係止した支柱部３ｖの裏側に回動部材１１をもたらした際に、ロック状態にあることを明示するための表示盤１４は、ロック状態をトイレ室内空間の内側から視覚的に表示するものであれば、他の構成も勿論可能である。
【図面の簡単な説明】
【００４２】
【図１】本考案にかかる仮設トイレを示す、模式的な平面図である。
【図２】本考案にかかる仮設トイレにおけるロック手段の一例を示す、拡大的斜視説明図である。
【図３】図２に示すロック手段の一例を示す分解斜視説明図である。
【図４】本考案にかかる仮設トイレにおけるロック手段により、出入口を閉止した状態を示す、模式的な平面図である。
【図５】図４に示す操作状態にある、ロック手段の斜視説明図である。
【図６】本考案にかかる仮設トイレにおけるロック手段により、ロック操作した状態を示す、模式的な平面図である。
【図７】図６に示す操作状態にある、ロック手段の斜視説明図である。
【図８】本考案にかかる仮設トイレにおけるロック手段の別例を示す、斜視説明図である。
【図９】本考案にかかる仮設トイレにおけるロック手段の別例を示す、斜視説明図である。
【図１０】本考案にかかる仮設トイレの別例を示す、模式的な平面図である。
【図１１】図１０に示す仮設トイレにおいて、ロック手段により、ロック操作した状態を示す、模式的な平面図である。
【符号の説明】
【００４３】
１    仮設トイレ
２    囲い部
３    組立支持部材
３ｖ    支柱パイプ
４    外装材
５    可動部
６    可動パイプ
７    ロック手段
８    基部枠
９    フック手段
１０    ハンドル
１１    回動部材
１２    段付きボルト
１３    受部材
１４    表示盤
１５    クリップ機構
１５ａ    係止部
１５ｂ    当接部
【図１】
0003134712.tif 000003
【図２】
0003134712.tif 000004
【図３】
0003134712.tif 000005
【図４】
0003134712.tif 000006
【図５】
0003134712.tif 000007
【図６】
0003134712.tif 000008
【図７】
0003134712.tif 000009
【図８】
0003134712.tif 000010
【図９】
0003134712.tif 000011
【図１０】
0003134712.tif 000012
【図１１】
0003134712.tif 000013